(57)【要約】      （修正有）【課題】写真などの資料を穴あけや糊付けで損傷することなくフック掛け吊下げやバインダーノートによるファイル綴じができるようにすることを解決する課題とし、同時に糊なし吸着タイプのシートの用途を大きく広げるようにしたものである。【解決手段】微細なミクロ吸盤の多数を一面または両面に設けて、糊なし吸着タイプとする長短各種の帯状シート２を形成し、該帯状シートの長手方向の一側にフック掛け吊下げ用とバインダー綴じによるファイル用を兼ねた大小の止穴３を並設し、吊下げまたはファイルしたい写真，コーティング印刷紙，印刷フィルムなど表面が平滑で吸着可能な資料４の端部を止穴列を端外に突出するようにして該帯状シートの一面または両面に吸着貼付け、端外に突出する止穴列を用いてフック掛け吊下げ、またはバインダー綴じによるファイルを可能にしたことを特徴とする糊なし吸着タイプの吊下げまたはファイル用帯状シートである。【選択図】図３
0003101158.tif 000002
【実用新案登録請求の範囲】
【請求項１】
微細なミクロ吸盤の多数を一面または両面に設けて、糊なし吸着タイプとする長短各種の帯状シートを形成し、該帯状シートの長手方向の一側にフック掛け吊下げ用とバインダー綴じによるファイル用を兼ねた大小の止穴を並設し、吊下げまたはファイルしたい写真，コーティング印刷紙，印刷フィルムなど表面が平滑で吸着可能な資料の端部を止穴列を端外に突出するようにして該帯状シートの一面または両面に吸着貼付け、端外に突出する止穴列を用いてフック掛け吊下げ、またはバインダー綴じによるファイルを可能にしたことを特徴とする糊なし吸着タイプの吊下げまたはファイル用帯状シート。
【請求項２】
止穴列に平行して内側に写真等をまっすぐに吸着するための目視合わせ穴を並設した請求項１記載の糊なし吸着タイプの吊下げまたはファイル用帯状シート。
【請求項３】
写真などの資料を吸着の解き離しと再吸着によって、吊下げ、ファイルのレイアウトを自由に組替えする請求項１または２に記載の糊なし吸着タイプの吊下げまたはファイル用帯状シート。
【考案の詳細な説明】
【技術分野】
【０００１】
この考案は糊なし吸着タイプの吊下げまたはファイル用帯状シートに関するものである。
【背景技術】
【０００２】
微細なミクロ吸盤を一面に多設した糊なし吸着タイプのシートは、従来、ダイヤフィットの製品名にて市販されている。しかし、従来のシートは大小各種の大きさにて吸盤のない一面に広告などの印刷を施して表側にして、アクリル板，塩ビ板，アルミ板，ＡＢＳ板，ポリエステル板，ポリプロピレン板，カラー合板，ガラス板などの平滑な面に吸盤面を吸着させて使用している。
【非特許文献１】ダイヤミック株式会社のダイヤフィット製品の御案内
【考案の開示】
【考案が解決しようとする課題】
【０００３】
このようにして従来の吸着タイプのシートは、一面の全面を広告などの印刷面にして上記した各平滑面板に吸着して使用する用途に限られていたという課題がある。
【課題を解決するための手段】
【０００４】
本考案は微細なミクロ吸盤の多数を一面または両面に設けて、糊なし吸着タイプとする長短各種の帯状シートを形成し、該帯状シートの長手方向の一側にフック掛け吊下げ用とバインダー綴じによるファイル用を兼ねた大小の止穴を並設し、吊下げまたはファイルしたい写真，コーティング印刷紙，印刷フィルムなど表面が平滑で吸着可能な資料の端部を止穴列が端外に突出するようにして該帯状シートの一面または両面に吸着貼付け、端外に突出する止穴列を用いてフック掛け吊下げ、またはバインダー綴じによるファイルを可能にして、かかる課題を解決するようにしたのである。
【考案の効果】
【０００５】
本考案は以上のようにして、長短各種の糊なし吸着タイプの帯状シートに写真等を吸着して且つ帯状シートの止穴列を用いて吊下げ、ファイル等をするようにしたので、写真などは穴あけ、糊付けによる損傷が防止されて、フック掛け吊下げ、バインダー綴じによるファイルのほか、吸盤面を用いて直接壁面等にぶら下げることができるという効果を生ずる。
【０００６】
写真などは吸着と吸着解きを反復することが可能となるために、組替えなどしてレイアウトを自由に作成することができるという効果を生ずる。
【０００７】
さらに止穴列の内側に平行して写真等の吸着時の定規となる目視合わせ穴を設けるときは、吸着させる写真等の外端を目視合わせ穴の真中に合わせ揃えるなどすることにより、帯状シートにまっすぐに吸着させることができるという効果を生ずる。また数枚の写真などを帯状シートに吸着するときは、目視合わせ穴を目印にして割り振りが簡単にできるという効果を生ずる。
【考案を実施するための最良の形態】
【０００８】
本考案は微細なミクロ吸盤の多数を一面または両面に設けて、糊なし吸着タイプとする長短各種の帯状シートを形成し、該帯状シートの長手方向の一側にフック掛け吊下げ用とバインダー綴じによるファイル用を兼ねた大小の止穴を並設し、吊下げまたはファイルしたい写真，コーティング印刷紙，印刷フィルムなど表面が平滑で吸着可能な資料の端部を止穴列が端外に突出するようにして該帯状シートの一面または両面に吸着貼付け、端外に突出する止穴列を用いてフック掛け吊下げ、またはバインダー綴じによるファイルを可能とし、さらに止穴列に平行して内側に目視による合わせ穴を並設して写真等をまっすぐに吸着させることができるようにした糊なし吸着タイプの吊下げまたはファイル用帯状シートにある。
【実施例１】
【０００９】
微細なミクロ吸盤１の多数を一面に設けた糊なし吸着タイプの細帯状シート２を形成する。図１に示すように細帯状シート２は長短各種にて形成し、さらに使用者によって適宜フィットする長さに裁断することもある。
【００１０】
この細帯状シート２の長手方向の一側（外端側）に大小の止穴３を並設して、図２に示すように吸盤１のある一面に印刷物，写真など表面の平滑な資料４の端部を止穴３列が端外に突出するようにして吸着し、図３に示すように、吸着可能な壁面であれば吸盤面１を用いて直接壁面等にぶら下げ、または壁面に取付けたフック５，バインダーノート６に止穴３列を嵌める要領にて該写真４などを吊下げ、またはファイル綴じするのである。
【実施例２】
【００１１】
この際、図４に示すように止穴３列に平行して内側に目視合わせ穴７を並設しておくと、写真４などの端部を細帯状シート２に吸着する際に写真４などの外端を目視合わせ穴７の中間に見ながら合わせることができて細帯状シート２にまっすぐに吸着し得て曲がることを防止することができ、また図５に示すように等間隔にて並設した目視合わせ穴７を目印にして数枚の写真４などの吸着位置の割り振りを容易に調整することができることとなる。
【実施例３】
【００１２】
なお、細帯状シート２は図６に示すように両面に吸盤１群を設けて、両面に写真，印刷物などの資料４の端部を吸着させることもできる。
【００１３】
写真４などは細帯状シート２に吸着によって貼着するので、糊付けと違って損傷することなしに吸着解きすることができる。吸着と吸着解きを反複することによってファイルの中身のレイアウトを自由に組替え変更し得るものとなる。また図７は写真４をスタンド８ａ付き台紙８に糊付フィルム９で密着被覆した資料の例を示すもので、写真４を台紙８にて立て飾りしたり、台紙８の端部のフィルム面に帯状シート２を吸着してファイル綴じにより整理して保存することができ、台紙８に穴をあけることがないので見栄えよく繰返して飾ることができるものとなる。
【産業上の利用可能性】
【００１４】
本考案は以上のようにして、吸盤に吸着可能な写真などは、自由なレイアウトにより構成して、フック掛け吊下げ、またはバインダーによるファイル綴じすることができて糊なし吸着タイプのシートの用途を大きく広げるものとなる。
【図面の簡単な説明】
【００１５】
【図１】（実施例１）（ａ）は長いタイプの帯状シートの表面、（ｂ）はその裏面の吸盤面、（ｃ）短いタイプの帯状シートの表面、（ｄ）は適宜の長さに裁断して使用する例を示す表面の各平面図
【図２】（ａ）は資料を吸盤面に吸着させた状態の平面図、（ｂ）は同、ｂ−ｂ線矢視拡大図
【図３】（ａ）は平滑な壁面に吸着によりぶら下げした斜視図、（ｂ）は壁面に取付けたフックに掛け吊下げした斜視図、（ｃ）はバインダーノートにファイル綴じする状態を示す斜視図
【図４】（実施例２）（ａ）（ｂ）は帯状シートに等間隔の目視合わせ穴を並設した例を示す平面図
【図５】レイアウト貼付例を示す平面図
【図６】（実施例３）帯状シートの両面に吸盤面を設けた例を示すもので、（ａ）は部分拡大断面図、（ｂ）は使用例の斜視図
【図７】写真を台紙に糊付フィルムにて被着した例を示すもので、（ａ）は台紙貼付け前の状態の斜視図、（ｂ）は台紙に密着被覆した状態の斜視図、（ｃ）はスタンドを立てて飾った状態の斜視図、（ｄ）は台紙端部のフィルム面に帯状シートを吸着した状態の斜視図
【符号の説明】
【００１６】
１はミクロ吸盤
２は帯状シート
３は止穴
４は印刷物，写真などの表面の平滑な資料
５はフック
６はバインダーノート
７は目視合わせ穴
８は台紙
８ａはスタンド
９は糊付フィルム
【図１】
0003101158.tif 000003
【図２】
0003101158.tif 000004
【図３】
0003101158.tif 000005
【図４】
0003101158.tif 000006
【図５】
0003101158.tif 000007
【図６】
0003101158.tif 000008
【図７】
0003101158.tif 000009